(57)【要約】【課題】顧客３と地域に近接した各種店舗等２が連携してグランプリＧを構築し、安価で実効ある宣伝、広告を行い、グランプリＧ内の各種店舗等２の商品売り上げや顧客３への各種の役務サービスとの提供により業績向上と地域活性化を図る。【課題を解決するための手段】インターネットＮによるホームページＨを開設すると共に、各種メディア、印刷物等にて各種店舗等２及び顧客３にグランプリＧへの加盟を募集すると共に、これらを運営、管理する事業者１と、来店した顧客３に、店舗会員の加入登録と上記、事業者１が運営、管理するグランプリＧへの加入登録とを勧誘する各種店舗等２と、店舗会員の登録と上記、事業者１が運営、管理するグランプリＧへの加入とを承諾した登録顧客３ａとにより構成され、グランプリＧ内の各種店舗等２の紹介及び宣伝、広告さらに、顧客３獲得手段として、名刺サイズのカードＣ、Ｃ’を配布する。【選択図】　図１
2004086831.tif 000002
【特許請求の範囲】
【請求項１】
インターネットによるホームページを開設すると共に、各種メディア、印刷物等にて各種店舗等及び顧客にグループへの加盟を募集すると共に、これらを運営、管理する事業者と、
来店した顧客に、店舗会員の登録と上記、事業者が運営、管理するグループへの加入登録とを勧誘する各種店舗等と、
店舗会員の登録と上記、事業者が運営、管理するグループへの加入とを承諾した登録顧客と、
により構成される、各種店舗等の業績向上と地域活性化システム。
【請求項２】
前記事業者は、ＣＰＵ等を含む制御手段と、ＲＡＭ、ＲＯＭ等の記憶手段と、各種データ等の送受信を行う通信手段と、キーボード、マウス等の入力手段と、検索手段及びＣＲＴ等の表示手段を具備したサーバを管理、運営し、公衆回線網を具備していることを特徴とする請求項１記載の、各種店舗等の業績向上と地域活性化システム。
【請求項３】
前記事業者と、各種店舗等及び顧客の加盟登録又は解消等を含む情報通信が、少なくともインターネット等を含む無線回線網又は公衆回線網等を介してなされることを特徴とする請求項１及び請求項２記載の、各種店舗等の業績向上と地域活性化システム。
【請求項４】
前記事業者が、各種店舗等及び顧客にグループへの加盟を募集する手段としてのメディア、印刷物が、少なくともテレビ、ラジオ、ＣＤ、新聞、チラシ広告、タウン誌、ポスター、ステッカー等のうちいずれかでありかつ、表面部又は裏面部にグループ名とグループ加盟の店舗名、その登録番号、店舗外観写真、電話番号、ファックス番号、メールアドレス、グループの紹介、特典の説明文やスタンプ捺印欄等を設け、表面部又は裏面部に他のグループ加盟店舗名の紹介と宣伝・広告文等を掲載した名刺サイズのカードであることを特徴とする、請求項１ないし請求項３記載の、各種店舗等の業績向上と地域活性化システム。
【請求項５】
前記各種店舗等が、来店した顧客を自己の店舗とグループへの加入登録する手段が、口頭、書面、電話、携帯電話、ファックス又は顧客の端末等によるものの他、自己店舗の登録番号、店舗外観写真、電話番号、ファックス番号、メールアドレス、提携グループ内他店舗の紹介、特典の説明文やスタンプ捺印欄等を設けた名刺サイズのカード及び、事業者が作成した、各種メディア、印刷物等と他のグループ加盟店舗名の紹介と宣伝・広告文等を掲載した名刺サイズのカードであることを特徴とする、請求項１ないし請求項４記載の、各種店舗等の業績向上と地域活性化システム。
【請求項６】
前記登録顧客は、自己の保有する携帯電話、情報端末等により、常時、その自由意思でグループ及び各種店舗等に加入登録しかつ、それを解消できることを特徴とする、請求項１ないし請求項５記載の、各種店舗等の業績向上と地域活性化システム。
【発明の詳細な説明】
【０００１】
【発明の属する技術分野】本発明は、従来の宣伝、広告やＷｅｂサイトにはない各種店舗等と顧客とをより近接な関係とするシステムに係り、特に、各種店舗等の業績向上と地域活性化システムに関する。
【０００２】
【従来の技術】従来より、店舗がその店舗のＰＲ又は新商品売り出し等の宣伝、広告を行ったり、地域の商店街が、定期的又は不定期的に催すバーゲンセール等の宣伝、広告を行う手段、方法としては、テレビ、ラジオ、新聞、ポスター等のメディア又は印刷物によるのが一般的である。また近年、インターネット及びパソコン等の急速な普及に伴い、ホームページの開設等により行われている。
【０００３】
【発明が解決しようとする課題】しかしながら、上記、メディア又は印刷物を介してのそれは、高価な広告宣伝費のわりに実効が伴わない上に経費のロスが多いという欠点がありかつ、例えば、新聞広告、チラシ等はマンネリ化しており、一般顧客は、これにほとんど注目することがないのが実情である。またインターネット上のホームページにアクセスするのは、特定の商品に関心又は興味を持つ者に限定され、その数も希少である。
【０００４】
本発明は、上記現状に鑑み、顧客と地域に近接した各種店舗等が連携してグループを構築し、安価で実効ある宣伝、広告を行い、グループ内の各種店舗等の商品売り上げや顧客への各種の役務サービスとの提供により業績向上と地域活性化を図ることを目的としている。なお以下にいう各種店舗等とは、食料品、衣料品、薬品その他生活用品等の商品を販売する店舗及び、銀行、信用金庫等の金融機関その他各種文化教室、スポーツクラブ、不動産関連店舗、介護センター、保育所、理美容室、飲食店、エステティックサロン、ゲームセンター等なんらかの役務サービスの提供を行う日常生活に関連する商業施設等を含む。
【０００５】
【課題を解決するための手段】
請求項１に係る各種店舗等の業績向上と地域活性化システムは、インターネットによるホームページを開設すると共に、各種メディア、印刷物等にて各種店舗等及び顧客にグループへの加盟を募集すると共に、これらを運営、管理する事業者と、来店した顧客に、店舗会員の登録と上記、事業者が運営、管理するグループへの加入登録とを勧誘する各種店舗等と、店舗会員の登録と上記、事業者が運営、管理するグループへの加入とを承諾した登録顧客と、により構成されることを特徴としている。
【０００６】
請求項２は、請求項１記載の、各種店舗等の業績向上と地域活性化システムにおいて、前記事業者は、ＣＰＵ等を含む制御手段と、ＲＡＭ、ＲＯＭ等の記憶手段と、各種データ等の送受信を行う通信手段と、キーボード、マウス等の入力手段と、検索手段及びＣＲＴ等の表示手段を具備したサーバを管理、運営し、公衆回線網を具備していることを特徴としている。
【０００７】
請求項３は、請求項１及び請求項２記載の、各種店舗等の業績向上と地域活性化システムにおいて、前記事業者と、各種店舗等及び顧客の加盟登録又は解消等を含む情報通信が、少なくともインターネット等を含む無線回線網又は公衆回線網等を介してなされることを特徴としている。
【０００８】
請求項４は、請求項１ないし請求項３記載の、各種店舗等の業績向上と地域活性化システムにおいて、前記事業者が、各種店舗等及び顧客にグループへの加盟を募集する手段としてのメディア、印刷物が、少なくともテレビ、ラジオ、ＣＤ、新聞、チラシ広告、タウン誌、ポスター、ステッカー等のうちいずれかでありかつ、表面部又は裏面部にグループ名とグループ加盟の店舗名、その登録番号、店舗外観写真、電話番号、ファックス番号、メールアドレス、グループの紹介、特典の説明文やスタンプ捺印欄等を設け、表面部又は裏面部には、他のグループ加盟店舗名の紹介と宣伝・広告文等を掲載した名刺サイズのカードであることを特徴としている。
【０００９】
請求項５は、請求項１ないし請求項４記載の、各種店舗等の業績向上と地域活性化システムにおいて、前記各種店舗等が、来店した顧客を自己の店舗とグループへの加入登録する手段が、口頭、書面、電話、携帯電話、ファックス又は顧客の通信端末等によるものの他、自己店舗の登録番号、店舖外観写真、電話番号、ファックス番号、メールアドレス、提携グループ内他店舗の紹介、特典の説明文やスタンプ捺印欄等を設けた名刺サイズのカード及び、事業者が作成した、各種メディア、印刷物等と他のグループ加盟店舗名の紹介と宣伝・広告文等を掲載した名刺サイズのカードであることを特徴としている。
【００１０】
請求項６は、請求項１ないし請求項５記載の、各種店舗等の業績向上と地域活性化システムにおいて、前記登録顧客は、自己の保有する携帯電話、情報端末等により、常時、その自己の自由意思でグループ及び各種店舗等に加入登録しかつ、それを解消できることを特徴としている。
【００１１】
【発明の実施の形態】以下、本発明に係る、各種店舗等の業績向上と地域活性化システムの好適な一実施形態について図面を参照しながら説明する。図１は本発明に係る、システムの概要説明図で、図２（ａ）は本発明における、事業者１又はグループ（以下、グランプリＧという）に加盟した各種店舗等２が、加入した顧客３ａ又は加入を勧誘する顧客３ｂに進呈するカードＣの表面部を示す正面図、（ｂ）は同裏面部を示す正面図、図３（ａ）はカードＣの別の実施形態を示す正面図、図３（ｂ）は図３（ａ）の裏面部を示す正面図、図４は本発明における、システムの動作を示すフロー図、図５（ａ）、（ｂ）は図２（ａ）〜（ｂ）と図３（ａ）〜（ｂ）のカードＣの第三及び第四実施形態を示す斜視図である。
【００１２】
図１において、１は事業者で、インターネットＮによるホームページＨを開設しかつ、比較的に多数の各種店舗等２が集中する一定地域例えば、町内、区内の商店街等においてテレビ、ラジオ、ＣＤ、新聞、チラシ広告、タウン誌、ポスター、ステッカー等により、各種店舗等２及び顧客３にグランプリＧへの加盟と加入を募集すると共に、グランプリＧに加盟登録した各種店舗等２について、登録番号を付与し、加盟店舗の屋号又は店舗名等が表示された、名刺サイズのカードＣを作成する他、各種店舗等２のグランプリＧえの加盟促進を図る。
【００１３】
又、事業者１及び加盟登録した各種店舗等２は、未加入の複数の顧客３ｂに対し、所定の項目例えば、顧客の個人情報である姓名、性別、生年月日、住所、職業、年令、血液型、既婚、未婚、趣味嗜好品、クレジット番号、電話番号、ＦＡＸ番号、Ｅメールアドレス等を書面、電話、Ｅメール等で連絡するか又は、情報端末による送信等によりグランプリＧ及び加入を希望する各種店舗等２に簡易に加入登録でき、登録完了すれば、グランプリＧよりＩＤ番号、パスワードが付与されることまた、少なくとも毎月１回は、各種店舗等２の得々情報（割引商品情報等）、アルバイト情報、伝言板（加盟各種店舗等２の定休日の変更、店舗改装のお知らせ、新製品発売のお知らせ、新商品開発ニュース、○○屋さんに跡取り誕生！等）等、生活情報が無料で入手できることなどを説明して加入登録を勧誘しさらに、登録後にグランプリＧがホームページＨで行う各種アンケート調査に回答すれば、無料又は割引付き有料で景品がプレンゼントされることも紹介する。また、各種店舗等２は自店舗のホームページＨの掲示板でもアンケート調査機能を使い、アンケート内容、プレンゼント景品の選定等独自の特色を出して顧客３ａ又は未加入の顧客３ｂにアピールすることもできる。なお上記、どちらのアンケート調査結果についても、事業者１（グランプリＧ）及びアンケート調査を実施している各種店舗等２が情報端末により閲覧することができ、アンケート回答者で抽選等の当選者はアンケート調査店舗２ａ、２ｂ等で直接景品等を受け取る。同様に、事業者１（グランプリＧ）のアンケート調査の回答者で抽選等の当選を通知された顧客３ａは、加盟店舗２ａ、２ｂ等で直接景品等を受け取る。
【００１４】
Ｓは、事業者１が管理、運営するサーバで、ＣＰＵ等を含む制御手段１ａと、ＲＡＭ、ＲＯＭ等の記憶手段１ｂと、各種データ等の送受信を行う通信手段１ｃと、キーボード、マウス等の入力手段１ｄと、検索手段１ｅ及びＣＲＴ等の表示手段１ｆを具備している。１ｇは公衆回線網で、各種店舗等２及び顧客３ａの管理及びグランプリＧの運営等にあたる。
【００１５】
グランプリＧは、商品を販売する店舗２ａのほか、銀行２ｂ、信用金庫２ｃ等のほか不動産関連店舗２ｄ、介護センター２ｅ、保育所２ｆ、理美容室２ｇ、飲食店２ｈ、エステティックサロン２ｋ等なんらかの役務サービスの提供を行う日常生活に関連する商業施設等によってネット化され、事業者１が管理、運営するサーバＳと加盟店舗２ａ等の情報端末とはインターネットＮを介して常時、送受信が可能とされている。
【００１６】
加入登録を承諾した顧客３ａは、事業者１が管理、運営するサーバＳの記憶手段１ｂにより格納され、グランプリＧよりＩＤ番号、パスワードが送信されると共に、顧客３ａは加入登録を指定した各種店舗等２のカードＣが進呈され、商品販売の店舗２ａの他希望すれば複数の加盟店舗例えば、飲食店２ｈ、エステティックサロン２ｋ等に加入登録することができ、各々の店舗２ａ、２ｈ、２ｋ等でカードＣを受け取り、商品又は役務サービスを割安で購入又は享受できると共にカードＣのポイント加算、スタンプ捺印、景品抽選等の特典を受ける。
【００１７】
グランプリＧ又は加盟している各種店舗等２について、ホームページＨ又はテレビ、ラジオ、ＣＤ、新聞、チラシ広告、タウン誌、ポスター、ステッカー等を閲覧し、加入を希望する顧客３ｂは、グループＧ又は店舗２ａ等に自己の便利な連絡手段例えば、ファックス、携帯電話又は情報端末等により申し込むことができる。加入登録になんらの問題がなければ、サーバＳの記憶手段１ｂにより格納され、グランプリＧよりＩＤ番号、パスワード及び希望した加盟店舗２ａ、２ｃ、２ｇ等のカードＣがその店舗で進呈される。
【００１８】
図２（ａ）は、カードＣの一実施態様を示し、グランプリＧ又は各種店舗等２が作成し、来店した顧客３ａ及び顧客３ｂに進呈するカードＣの表面部で、最上欄Ｃａにはその屋号又は店舗名とグランプリＧから付与された登録番号Ｃｎｏが表示されており、その下段Ｃｂには、店舗の外観又は店内写真、キャッチフレーズ、電話番号、ファックス番号、Ｅメールアドレス及びグランプリＧのＵＲＬ等が記載され、中段Ｃｃは、グランプリＧのシステム、加入方法、加入による各種の特典例えば、ポイント付与制度、景品抽選の開催日時、スタンプラリー等についての説明欄であり、最下段Ｃｄにはポイント加算時の押印欄が設けられている。
【００１９】
図２（ｂ）は、カードＣの裏面部で、最上欄ＣｅにグランプリＧで行う抽選番号を表示し、その下段Ｃｆには、グランプリＧに加盟している他の各種店舗等２の店舗名、電話番号、ショートコメント等を記載し、最下段Ｃｇは、Ｃｆに記載されている他店舗の所在地を示す地図欄であり、この地図欄Ｃｇを他店舗の紹介欄Ｃｆとすることもできる。なお、他店舗等２の紹介欄Ｃｆ内のＣｒは、顧客３ａが来店し、商品購入又はサービスの提供を受けた時、当該店舗２ａ又は２ｂ等が押印又はサインするいわゆる、スタンプラリーに使われる来店証明欄で、押印又はサインの代わりに切り取り線Ｃｔで切り取ることもできる。
【００２０】
図２（ｃ）は、カードＣの別の実施態様を示し、表面部又は裏面部の最上欄Ｃａ（中段又は下段でも良い）には、自店の店舗名と登録番号Ｃｎｏ及び営業内容（役務）、電話番号等を表記しているもので、その下段Ｃｂ以下Ｃｃ、Ｃｄ部分には、加盟の他店舗等２である（Ａ）〜（Ｇ）の店舗名、電話番号、ショートコメント等を記載し、その裏面部は、図２（ｄ）に示すように、スタンプラリー用の押印欄を設けている。又、図４（ａ）、（ｂ）のカードＣ’は、図２（ａ）〜（ｄ）に示すカードＣの他の実施例を示す斜視図で、表面部と裏面部が連設されているものである。なお、カードＣに掲載する自店舗名や登録番号Ｃｎｏ等及び他店舗等２の指定、数量、レイアウト等は、グランプリＧと加盟店舗２ａ又は２ｂ等との話合いと合意により、決定され、その費用は、カードＣ及びＣ’の表面部又は裏面部に掲載される他店舗等２が負担し、自店舗２ａ又は２ｂ等は、一切その費用は負担しないで、来店する顧客３ａと顧客３ｂにカードＣを進呈し、グランプリＧと他店舗等２への加入登録を勧誘する。またグランプリＧは、加盟店舗２からの要望があれば、図４（ａ）、（ｂ）等に示すカードＣ’を作成し、自店舗や他店舗の広告内容、レイアウト等は自由に設定できるものである。
【００２１】
図３は、本発明の実施態様におけるシステムの動作を示すフロー図で、まず事業者１は、サーバＳを具備したグランプリＧを設立（Ｓ１）し、インターネットＮによるホームページＨを開設（Ｓ２）し、その目的、内容、特典等を紹介し、さらに各種店舗等２及び顧客３ｂに加盟及び加入を募集（Ｓ３）する一方、テレビ、ラジオ、ＣＤ、新聞、チラシ広告、タウン誌、ポスター、ステッカー等のメディア、印刷物による広告・宣伝（Ｓ４）を行い、これを閲覧し加盟を希望する各種店舗等２は、自己の保有する通信端末等により、サーバＳ又は公衆回線網１ｇ等を介して申し込み（Ｓ５）、これについてグランプリＧは、当該の店舗等２と契約条件等で合意があれば加盟を承認し、登録番号を設定・付与（Ｓ６）し、当該店舗２ａ、２ｂ等に上記、図２（ａ）、（ｂ）のカードＣを作成し送付（Ｓ７）する。グランプリＧに加盟した各種店舗等２のうち、グランプリＧが作成したカードＣ以外にも店舗２ａ、２ｂ等は、図４（ａ）、（ｂ）等に示す独自のカードＣ’を作成（Ｓ８）し、クーポンの発行、ポイント付与、抽選等自由に設定できる。
【００２２】
グランプリＧは、申し込みのあった顧客３ｂについて、加入条件に問題がなければＩＤ番号とパスワードを付与（Ｓ９）し、同時にサーバＳの記憶手段１ｂでこれを格納すると共に、顧客３ａが加入希望の店舗２ａ、２ｂ等に顧客登録があったことを通信手段１ｃにより送信（Ｓ１０）し、顧客３ａが加入した店舗２ａ、２ｂ等の上記、図２（ａ）、（ｂ）のカードＣを作成し、送付（Ｓ１１）する。顧客３ａは、加盟した各種店舗等２での商品購入や役務サービスの提供を受けるときは、カードＣを店員に提示し、スタンプの捺印、ポイント加算、抽選等を要請（Ｓ１２）しまた、自己の保有する携帯電話、ファックス、通信端末等により、サーバＳ又は公衆回線網１ｇ等によって、他の加盟店舗２ａ、２ｂ等への追加加入、変更（Ｓ１３）又は解消等は、簡易にできる。
【００２３】
グランプリＧは、少なくとも月１回は行う抽選の結果報告を、加盟している各種店舗等２と、当選した顧客３ａに報告し、景品を加入店舗２ａ、２ｂ等で直接受け取ることを、適宜の通信方法で通知（Ｓ１４）する。
【００２３】
各種店舗等２は、事業者１がホームページＨで行った各種アンケート調査の回答を参考にして、顧客３ａの増員、商品の販売増、サービス向上（Ｓ１５）を図る。
【００２４】
【発明の効果】
本発明は、上記構成になるから以下の効果を奏する。▲１▼加盟各種店舗等２と顧客３ａの距離感を極めて近く感じさせることができる即ち、比較的に多数の各種店舗等２が集中する一定地域内の住民を、顧客３ａの対象としているので、各種店舗等２は、グランプリＧに加盟し易くまた、住民も顧客３ａになれば、購入希望商品の購入や役務サービスが近隣で受けられるので、交通費、時間を浪費せずかつ、加入した各種店舗等２には多くの特典があり、経済的なので商品購買意欲とサービス享受意欲が高められ、加盟各種店舗等２の業績が向上する。▲２▼グランプリＧ内の各種店舗等２は、カードＣ又はカードＣ’の他店舗２ａ、２ｂ等紹介欄Ｃｆにより相互に広告、宣伝が行われるので、知らない間に顧客３ａが増すので、強い連帯感が生まれ、地域活性化につながる。▲３▼グランプリＧ及び加盟各種店舗等２の主な広告、宣伝手段が、名刺サイズのカードＣ及びＣ’によるため、自店舗は、そのカードＣの作成費は殆ど不要なのでグランプリＧに加盟し易く、また、他店舗のカードＣで広告、宣伝が行われ、抽選等による景品も自店舗商品の進呈ですむので無駄が省けるなど極めて経済的であり、さらに顧客３ａにはカードＣ及びＣ’が名刺サイズで嵩張らないので、携帯及び使用に利便性がある。
【００２５】
【図面の簡単な説明】
【図１】本発明に係る、各種店舗等２の業績向上と地域活性化システムの概要説明図である。
【図２】（ａ）本発明における、事業者１又はグループＧに加盟した各種店舗等２が、加入した顧客３ａ又は加入を勧誘する顧客３ｂに発行するカードＣを示し、（ａ）は表面部を示す正面図、（ｂ）は同裏面部を示す正面図である。
【図３】カードＣの別の実施形態を示し、（ａ）は表面部の正面図、（ｂ）は同裏面部を示す正面図である。
【図４】本発明における、システムの動作を示すフロー図である。
【図５】（ａ）顧客３ａ又は加入を勧誘する顧客３ｂに発行するカードＣ’の第三の実施形態を示し、（ａ）は斜視図、（ｂ）は同第四の実施形態の斜視図である。
【符号の説明】
１　　　　　　　　　事業者
２　　　　　　　　　各種店舗等
３　　　　　　　　　顧客
３ａ　　　　　　　　加入顧客
３ｂ　　　　　　　　未加入顧客
Ｇ　　　　　　　　　グループ
Ｈ　　　　　　　　　ホームページ
Ｓ　　　　　　　　　サーバ
Ｎ　　　　　　　　　インターネット
【図１】
2004086831.tif 000003
【図２】
2004086831.tif 000004
【図３】
2004086831.tif 000005
【図４】
2004086831.tif 000006
【図５】
2004086831.tif 000007